(57)【要約】【課題】  予定した時刻の来訪者に対しては、応答することなく速やかに招き入れることが可能なインターホンシステムを提供する。【解決手段】  子機カメラ１３が撮像した来訪者画像が氏名情報と共に保存されている特定来訪者保存部２６ｂと、子機カメラ１３が撮像した来訪者画像と特定来訪者保存部２６ｂの画像とを比較して来訪者を特定する来訪者特定部２５と、来訪予定の時刻及び来訪予定者の氏名を記憶するスケジュール記憶部２４と、メッセージを記憶するメッセージ記憶部２３とを有し、親機ＣＰＵ２８は子機１が呼出操作を受けた時刻がスケジュール記憶部２４に記憶された時刻の所定時間以内であって、且つ呼出操作を受けて子機カメラ１３が撮像した来訪者画像が来訪予定の人物の画像と一致したら、子機１から所定のメッセージを報音させる。【選択図】  図１
2019068362.tif 000002
【特許請求の範囲】
【請求項１】
来訪者が居住者を呼び出して通話する機能、及び来訪者を撮像するカメラを備えた子機と、前記子機からの呼び出しに居住者が応答するための機能、及び前記カメラの撮像映像を表示するモニタを備えた親機とを有するインターホンシステムであって、
前記カメラが撮像した来訪者画像が氏名情報と共に保存されている特定来訪者保存部と、
前記カメラが新たに撮像した来訪者の画像と、前記特定来訪者保存部の画像とを比較して来訪者を特定する来訪者特定部と、
来訪予定の時刻及び来訪予定者の氏名を記憶するスケジュール記憶部と、
前記子機から報音させる複数のメッセージを記憶するメッセージ記憶部と、
前記メッセージの報音を制御する報音制御部とを有し、
前記報音制御部は、前記子機が呼出操作を受けた時刻が前記スケジュール記憶部に記憶された時刻の所定時間以内であって、且つ呼出操作を受けて前記カメラが撮像した来訪者画像と前記特定来訪者保存部の画像とが前記来訪者特定部により比較されて、来訪者が前記来訪予定者であると判定されたら、前記子機から所定のメッセージを報音させることを特徴とするインターホンシステム。
【請求項２】
前記子機の呼出操作を受けて、呼出操作されたことを居住者に通知するか否かを判断する呼出判断制御部を有し、
前記呼出判断制御部は、前記子機が呼出操作された時刻が前記スケジュール記憶部に記憶された時刻の所定時間以内であったら前記親機での呼出音の報音を保留し、前記来訪者特定部が来訪者は来訪予定者であると判定したら、保留は解除せず報音制御を終了し、
来訪者を来訪予定者ではないと判定したら、前記保留を解除して前記親機から呼出音の報音を実施させることを特徴とする請求項１記載のインターホンシステム。
【請求項３】
来訪者が居住者を呼び出して通話するための子機と、前記子機からの呼び出しに居住者が応答するための親機とを有するインターホンシステムであって、
来訪予定の時刻及び来訪予定者の氏名を記憶するスケジュール記憶部と、
前記子機から報音させる複数のメッセージを記憶するメッセージ記憶部と、
前記メッセージの報音を制御する報音制御部とを有し、
前記報音制御部は、前記子機が呼出操作を受けた時刻が前記スケジュール記憶部に記憶された時刻の所定時間以内であったら、前記子機から所定のメッセージを報音させることを特徴とするインターホンシステム。
【請求項４】
前記子機が設置された玄関ドアには電気錠が設置されていると共に、前記親機には前記電気錠の解錠／施錠を制御する電気錠制御部が設けられており、
前記電気錠制御部は、前記所定のメッセージの報音に連動して、前記電気錠を解錠操作することを特徴とする請求項１乃至３の何れかに記載のインターホンシステム。
【請求項５】
前記親機は、前記スケジュール記憶部への来訪予定者のスケジュール入力を行う入力操作部を有すると共に、外部通信ネットワークを介して居住者が携行する携帯端末と通信する機能を有し、
前記外部通信ネットワークを介して前記携帯端末から来訪予定者のスケジュール入力が可能であることを特徴とする請求項１乃至４の何れかに記載のインターホンシステム。
【発明の詳細な説明】
【技術分野】
【０００１】
本発明は、来訪者が居住者を呼び出して通話するためのインターホンシステムに関する。
【背景技術】
【０００２】
来訪者が居住者を呼び出して通話する従来のインターホンシステムは、玄関に設置された子機を呼出操作すると、居室に設置された親機が呼出音を鳴動するため、来訪者を問わず居住者が応答して対応していた。そのため、応答しなくても済むような場合でも応答していた。
このような煩わしさを解消するため、例えば特許文献１では、呼び出しを受けたら先ず子機から要件を伺いメッセージを報音し、このメッセージを受けて録音された来訪者の言葉を親機で再生させることで、応答すべきか判断でき、不必要な応答操作を無くすことができた。
【先行技術文献】
【特許文献】
【０００３】
【特許文献１】特開２０１０−１７８０６７号公報
【発明の概要】
【発明が解決しようとする課題】
【０００４】
しかしながら、上記特許文献１の構成は、応答すべきか判断するのは居住者であり、録音された来訪者音声を再生させて聞き取る作業を伴い、煩わしさは引き続き発生した。
特に、来客等の予定がある場合はその時刻が決まっている場合が多いため、時刻が近づいたら玄関の錠を解除しておくことはできるが、来訪者は呼出操作して何ら応答が無ければ、玄関ドアを開けるのを躊躇するため、結局呼び出しに応答する必要があった。
【０００５】
そこで、本発明はこのような問題点に鑑み、予定した時刻の来訪者に対しては、応答することなく速やかに招き入れることが可能なインターホンシステムを提供することを目的とする。
【課題を解決するための手段】
【０００６】
上記課題を解決する為に、請求項１の発明は、来訪者が居住者を呼び出して通話する機能、及び来訪者を撮像するカメラを備えた子機と、子機からの呼び出しに居住者が応答するための機能、及びカメラの撮像映像を表示するモニタを備えた親機とを有するインターホンシステムであって、カメラが撮像した来訪者画像が氏名情報と共に保存されている特定来訪者保存部と、カメラが新たに撮像した来訪者の画像と、特定来訪者保存部の画像とを比較して来訪者を特定する来訪者特定部と、来訪予定の時刻及び来訪予定者の氏名を記憶するスケジュール記憶部と、子機から報音させる複数のメッセージを記憶するメッセージ記憶部と、メッセージの報音を制御する報音制御部とを有し、報音制御部は、子機が呼出操作を受けた時刻がスケジュール記憶部に記憶された時刻の所定時間以内であって、且つ呼出操作を受けてカメラが撮像した来訪者画像と特定来訪者保存部の画像とが来訪者特定部により比較されて、来訪者が来訪予定者であると判定されたら、子機から所定のメッセージを報音させることを特徴とする。
この構成によれば、来訪予定時刻に来た来訪者が、人物認証の結果予定していた人物であったら、例えば「佐藤様、お待ちしておりました、お入り下さい」のメッセージを子機から報音させることができ、来訪者を待たせることなく迎え入れることができる。よって、居住者、来訪者の双方にとって利便性がよい。
【０００７】
請求項２の発明は、請求項１に記載の構成において、子機の呼出操作を受けて、呼出操作されたことを居住者に通知するか否かを判断する呼出判断制御部を有し、呼出判断制御部は、子機が呼出操作された時刻がスケジュール記憶部に記憶された時刻の所定時間以内であったら親機での呼出音の報音を保留し、来訪者特定部が来訪者は来訪予定者であると判定したら、保留は解除せず報音制御を終了し、来訪者を来訪予定者ではないと判定したら、保留を解除して親機から呼出音の報音を実施させることを特徴とする。
この構成によれば、来訪予定時刻に来た来訪者が予定していた人物であったら、居住者の呼び出しを行わないため、居住者は応答する手間を要さず利便性がよい。一方、予定していた人物でない場合は通常の呼出動作を実施するため、来訪者を戸惑わせることがない。
【０００８】
請求項３の発明は、来訪者が居住者を呼び出して通話するための子機と、子機からの呼び出しに居住者が応答するための親機とを有するインターホンシステムであって、来訪予定の時刻及び来訪予定者の氏名を記憶するスケジュール記憶部と、子機から報音させる複数のメッセージを記憶するメッセージ記憶部と、メッセージの報音を制御する報音制御部とを有し、報音制御部は、子機が呼出操作を受けた時刻がスケジュール記憶部に記憶された時刻の所定時間以内であったら、子機から所定のメッセージを報音させることを特徴とする。
この構成によれば、来訪者を予定している時刻に来訪者があったら、例えば「お待ちしておりました。お入り下さい」のメッセージを子機から報音させることができる。そのため、来訪者を待たせることなく迎え入れることができ、居住者、来訪者の双方にとって利便性がよい。
【０００９】
請求項４の発明は、請求項１乃至３の何れかに記載の構成において、子機が設置された玄関ドアには電気錠が設置されていると共に、親機には電気錠の解錠／施錠を制御する電気錠制御部が設けられており、電気錠制御部は、所定のメッセージの報音に連動して、電気錠を解錠操作することを特徴とする。
この構成によれば、玄関ドアが施錠されていても、予定時刻に来訪者があったら電気錠が解錠されるため、予め解錠しておく必要がない。
【００１０】
請求項５の発明は、請求項１乃至４の何れかに記載の構成において、親機は、スケジュール記憶部への来訪予定者のスケジュール入力を行う入力操作部を有すると共に、外部通信ネットワークを介して居住者が携行する携帯端末と通信する通信部を有し、外部通信ネットワークを介して携帯端末から来訪予定者のスケジュール入力が可能であることを特徴とする。
この構成によれば、親機を操作しなくても更に外出先からでもスケジュール入力ができ、利便性がよい。
【発明の効果】
【００１１】
本発明によれば、来訪予定時刻に来た来訪者が、人物認証の結果予定していた人物であったら、例えば「佐藤様、お待ちしておりました、お入り下さい」のメッセージを子機から報音させることができ、来訪者を待たせることなく迎え入れることができる。よって、居住者、来訪者の双方にとって利便性がよい。
【図面の簡単な説明】
【００１２】
【図１】本発明に係るインターホンシステムの一例を示す構成図であり、個々の機器をブロック図で示している。
【図２】インターホンシステムの他の形態を示す構成図である。
【発明を実施するための形態】
【００１３】
以下、本発明を具体化した実施の形態を、図面を参照して詳細に説明する。図１は本発明に係るインターホンシステムの一例を示す構成図であり、個々の機器をブロック図で示している。インターホンシステムは、玄関等に設置されて来訪者が居住者を呼び出すための子機１と、住戸内に設置されて子機１からの呼び出しに応答するための親機２とから構成され、両者は伝送線Ｌ１で接続されている。  
【００１４】
子機１は、呼出ボタン１１、子機マイク１２ａ及び子機スピーカ１２ｂを備えた子機通話部１２、来訪者を撮像するための子機カメラ１３、子機カメラ１３が撮像した映像信号を処理する子機映像処理部１４、子機１を制御する子機ＣＰＵ１５、親機２と通信する子機通信ＩＦ１６等を備えている。
【００１５】
親機２は、呼び出しに対する応答操作や各種設定を行う親機操作部２１、通話するための親機マイク２２ａ及び親機スピーカ２２ｂを備えた親機通話部２２、子機１から報音させるメッセージを記憶するメッセージ記憶部２３、来訪予定者を登録した来訪スケジュールを記憶するスケジュール記憶部２４、子機カメラ１３の撮像映像を基に来訪者を特定する来訪者特定部２５、来訪者映像を保存する映像保存部２６、来訪者映像や操作画面を表示する表示部２７、親機２を制御する親機ＣＰＵ２８、子機１と通信する親機通信ＩＦ２９等を備えている。
【００１６】
映像保存部２６は、来訪者映像を自動保存する保存部２６ａに加えて、特定の来訪者の画像をその氏名情報と共に保存する特定来訪者保存部２６ｂを有している。また、親機操作部２１はタッチパネルで構成され、表示部２７と一体に形成されている。
更に親機２は、電気錠制御部３０を備えて子機１が設置されている玄関の玄関ドア（図示せず）に設けられている電気錠３と伝送線Ｌ２を介して接続されており、親機２の操作で電気錠３の解錠／施錠を可能としている。
【００１７】
スケジュール記憶部２４は、来訪時刻が決まっている来客等の来訪者の氏名、訪問予定時刻が登録され記憶されている。また、記憶する際に登録された人物が特定来訪者保存部２６ｂに保存されている場合は、親機ＣＰＵ２８が氏名情報からそれを認識して画像が自動的に紐付けされて記憶される。
【００１８】
尚、スケジュール記憶部２４に登録された訪問予定者の氏名に該当する画像が特定来訪者保存部２６ｂに無く、保存部２６ａに保存されている場合は、その映像の中から好ましい静止画（画像）を選択して氏名を付して特定来訪者保存部２６ｂに登録することで紐付けされる。この登録操作は、利用者（居住者）が親機操作部２１を所定の操作することで行われる。また、画像がどこにも保存されていない場合は、後述する人物認証を行わない動作を実施する。
【００１９】
上記の如く構成されたインターホンシステムの動作は以下の様である。来訪者により子機１の呼出ボタン１１が押下されると、呼出信号が親機２に送信される。同時に子機カメラ１３が起動して撮像映像も親機２に送信される。但し、その後の動作は、呼出操作された時刻がスケジュール記憶部２４に登録された来訪予定時刻前後での呼び出しであるか、そうでないかで動作が異なる。
スケジュール記憶部２４に登録された来訪予定時刻から所定時間以上外れた時刻での呼出操作に関しては、従来と同様の動作を実施し、呼び出しを受けたら直ぐに親機２にて呼出音が報音され、また同時に子機カメラ１３の撮像映像が表示部２７に表示され、応答操作すれば来訪者と居住者との間で通話が可能となる（詳述せず）。
【００２０】
スケジュール記憶部２４に登録された来訪予定時刻を中心に所定の時間以内（例えば、登録時刻の１０分前から１０分後までの２０分間の間）に呼出操作されたら親機ＣＰＵ２８の制御により次のように動作する。
呼出信号は子機１から親機２に伝送されるが、親機２での呼出音の報音は保留され、行われない。また、呼出操作により起動した子機カメラ１３の撮像映像は、親機２に伝送されて人物認証が行われる。登録された来訪予定時刻を中心とした所定時間以内の来訪者に対しては、来訪者特定部２５が起動して特定来訪者保存部２６ｂに登録されている訪問予定者の画像と比較され一致するかどうか判断される。
【００２１】
来訪者特定部２５は、呼出操作した人物と登録されている来訪予定者の氏名に紐付けされている画像を比較して、同一人物であると判定したら、それを親機ＣＰＵ２８に通知する。親機ＣＰＵ２８はこの判定を受けてメッセージ記憶部２３から、例えば「○○様、お待ちしておりました、お入り下さい」のメッセージを読み取り、「○○様」にスケジュール記憶部２４に登録されている氏名を読み取ってはめ込み、例えば「佐藤様、お待ちしておりました、お入り下さい」のメッセージを生成して子機１から報音させる。また同時に玄関ドアの電気錠３を解錠させる。
【００２２】
尚、保留していた親機２からの呼出音は、このメッセージの報音を受けて解除せず報音制御を終了する。即ち、親機２での呼出音の報音を実施しない。代わりに、親機２から「佐藤様が見えました」等のメッセージが報音されて、来訪者が到着したことが居住者に通知される。
【００２３】
但し、呼出操作した人物と登録されている来訪予定者の画像を比較した結果、一致しなかったら、保留していた親機２での呼出音の報音停止を解除して、呼出音を報音して居住者に来訪者が居ることを通知する。この呼出音を受けて、居住者が親機２を応答操作すると子機１と親機との間で通話路が形成され、居住者は表示部２７に表示された来訪者映像をみながら通話できる。
【００２４】
このように、来訪予定時刻に来た来訪者が、人物認証の結果予定していた人物であったら、例えば「佐藤様、お待ちしておりました、お入り下さい」のメッセージが子機１から報音され、来訪者を待たせることなく迎え入れることができる。よって、居住者、来訪者の双方にとって利便性がよい。
そして、その場合、親機２から呼出音を報音させて居住者の呼び出しを行わないため、居住者は手間を要さず利便性がよい。一方、予定していた人物でない場合は、通常の呼出動作を実施するため、来訪者を戸惑わせることがない。
更に、玄関ドアが施錠されていても、来訪者が予定していた人物であったら玄関の電気錠３が解錠されるため、予め解錠しておく必要がなくセキュリティを維持できる。
【００２５】
一方、来訪予定者の画像が登録されていない場合は、画像による人物確認せずに予定された時刻での来訪者は予定した人物であるとみなして、「お待ちしておりました、お入り下さい」等をメッセージを子機から報音して、電気錠３を解錠しても良い。このように、予定された時刻での来訪者を予定した人物であるとみなしてもよく、所定のメッセージを子機１から報音させることで、来訪者を待たせることなく迎え入れることができ、居住者、来訪者の双方にとって利便性がよい。
尚、スケジュール記憶部２４に登録した来訪予定者の登録画像が無く、人物認証ができない場合は、メッセージの報音や自動解錠を実施せず、従来通りの親機２から呼出音の報音を行っても良い。
【００２６】
図２は、インターホンシステムの他の形態を示し、親機２を外部通信ネットワークＮを介して携帯端末４と通信可能としたインターホンシステムの構成を示している。図２に示すように親機２に外部通信ネットワークＮを介して居住者が携行するスマートフォン等の携帯端末４と通信する機能を設けて、携帯端末４からスケジュール登録を可能としても良く、外出先からでもスケジュール入力ができ、利便性がよい。
【００２７】
尚、親機２に外部と通信する機能を設けた場合は、サーバをネットワーク上に配置して、そのサーバに画像認証機能を設けて、親機２に組み込まれている来訪者特定部２５をサーバ側に移行しても良い。
【符号の説明】
【００２８】
１・・子機、２・・親機、３・・電気錠、４・・携帯端末、１１・・呼び出しボタン、１２ｂ・・子機スピーカ、１３・・子機カメラ（カメラ）、２１・・親機操作部（入力操作部）、２３・・メッセージ記憶部、２４・・スケジュール記憶部、２５・・来訪者特定部、２６・・映像保存部、２６ｂ・・特定来訪者保存部、２７・・表示部（モニタ）、２８・・親機ＣＰＵ（報音制御部、呼出判断制御部）、Ｎ・・外部通信ネットワーク。
【図１】
2019068362.tif 000003
【図２】
2019068362.tif 000004